(57)【要約】【課題】移動体の移動に応じて変化する飛行禁止領域を避けて無人航空機を飛行させる。【解決手段】無人航空機制御システム（１）の移動体位置取得手段（１０２）は、地球上を移動する移動体の現在の位置に関する移動体位置情報を取得する。領域設定手段（１０３）は、移動体位置情報に基づいて、無人航空機（２０）の飛行を禁止する飛行禁止領域を設定する。飛行制御手段（１０５）は、移動体位置情報に基づいて設定された飛行禁止領域を避けるように、無人航空機（２０）の飛行を制御する。【選択図】図５
2020102257.tif 000002
【特許請求の範囲】
【請求項１】
地球上の所定地点に運ぶ荷物を載せた無人航空機が飛行する地域において移動する移動体の現在の位置に関する移動体位置情報を取得する移動体位置取得手段と、
前記移動体位置情報に基づいて、前記無人航空機の飛行を禁止する飛行禁止領域を設定する領域設定手段と、
前記飛行禁止領域を避けるように、前記無人航空機の飛行を制御する飛行制御手段と、
を含むことを特徴とする無人航空機制御システム。
【請求項２】
前記飛行禁止領域は、前記移動体の上空を飛行する前記無人航空機の飛行を禁止する領域である、
ことを特徴とする請求項１に記載の無人航空機制御システム。
【請求項３】
前記移動体は、地球上を移動する動物又は乗物であり、
前記飛行禁止領域は、前記動物又は前記乗物の上空を飛行する前記無人航空機の飛行を禁止する領域である、
ことを特徴とする請求項２に記載の無人航空機制御システム。
【請求項４】
前記移動体は、ゴルフ場において移動するプレイヤ又はゴルフカートであり、
前記移動体位置取得手段は、プレイヤ端末又はゴルフカート端末のＧＰＳセンサの検出信号に基づいて、前記プレイヤ又は前記ゴルフカートの現在の位置を示す前記移動体位置情報を取得し、
前記領域設定手段は、前記プレイヤ又は前記ゴルフカートの現在の位置に基づいて、前記飛行禁止領域を設定し、
前記飛行制御手段は、前記プレイヤ又は前記ゴルフカートの現在の位置に基づいて設定された前記飛行禁止領域を避けるように、前記ゴルフ場内の所定地点に運ぶ荷物を載せた前記無人航空機の飛行を制御する、
ことを特徴とする請求項１〜３の何れかに記載の無人航空機制御システム。
【請求項５】
地球上の所定地点に運ぶ荷物を載せた無人航空機が飛行する地域において移動する移動体の現在の位置に関する移動体位置情報を取得する移動体位置取得ステップと、
前記移動体位置情報に基づいて、前記無人航空機の飛行を禁止する飛行禁止領域を設定する領域設定ステップと、
前記飛行禁止領域を避けるように、前記無人航空機の飛行を制御する飛行制御ステップと、
を含むことを特徴とする無人航空機制御方法。
【請求項６】
地球上の所定地点に運ぶ荷物を載せた無人航空機が飛行する地域において移動する移動体の現在の位置に関する移動体位置情報を取得する移動体位置取得手段、
前記移動体位置情報に基づいて、前記無人航空機の飛行を禁止する飛行禁止領域を設定する領域設定手段、
前記飛行禁止領域を避けるように、前記無人航空機の飛行を制御する飛行制御手段、
としてコンピュータを機能させるためのプログラム。
【発明の詳細な説明】
【技術分野】
【０００１】
本発明は、無人航空機制御システム、無人航空機制御方法、及びプログラムに関する。
【背景技術】
【０００２】
従来、飛行を禁止する飛行禁止領域を避けるように、無人航空機を飛行させる技術が知られている。例えば、特許文献１には、無人航空機が鉄塔や送電線のような不動産に接触しないように、地上に固定された不動産の位置をもとに飛行禁止領域を設定する技術が記載されている。
【先行技術文献】
【特許文献】
【０００３】
【特許文献１】特開２００３−１２７９９４号公報
【発明の概要】
【発明が解決しようとする課題】
【０００４】
地上には、不動産だけではなく、例えば人間や電車のような移動体が存在する。移動体が移動すると、当該移動体に対応する飛行禁止領域が変化する。しかしながら、特許文献１の飛行禁止領域は、地上に固定された不動産しか考慮していないので、無人航空機が移動体の邪魔になったり、移動体が無人航空機の邪魔になったりする可能性がある。
【０００５】
本発明は上記課題に鑑みてなされたものであって、その目的は、移動体の移動に応じて変化する飛行禁止領域を避けて無人航空機を飛行できるようにすることである。
【課題を解決するための手段】
【０００６】
上記課題を解決するために、本発明に係る無人航空機制御システムは、地球上を移動する移動体の現在の位置に関する移動体位置情報を取得する移動体位置取得手段と、前記移動体位置情報に基づいて、無人航空機の飛行を禁止する飛行禁止領域を設定する領域設定手段と、前記移動体位置情報に基づいて設定された前記飛行禁止領域を避けるように、前記無人航空機の飛行を制御する飛行制御手段と、を含むことを特徴とする。
【０００７】
本発明に係る無人航空機制御方法は、地球上を移動する移動体の現在の位置に関する移動体位置情報を取得する移動体位置取得ステップと、前記移動体位置情報に基づいて、無人航空機の飛行を禁止する飛行禁止領域を設定する領域設定ステップと、前記移動体位置情報に基づいて設定された前記飛行禁止領域を避けるように、前記無人航空機の飛行を制御する飛行制御ステップと、を含むことを特徴とする。
【０００８】
本発明に係るプログラムは、地球上を移動する移動体の現在の位置に関する移動体位置情報を取得する移動体位置取得手段、前記移動体位置情報に基づいて、無人航空機の飛行を禁止する飛行禁止領域を設定する領域設定手段、前記移動体位置情報に基づいて設定された前記飛行禁止領域を避けるように、前記無人航空機の飛行を制御する飛行制御手段、としてコンピュータを機能させる。
【０００９】
また、本発明に係る情報記憶媒体は、上記のプログラムが記憶されたコンピュータ読み取り可能な情報記憶媒体である。
【００１０】
また、本発明の一態様では、前記無人航空機制御システムは、前記無人航空機の現在の位置に関する無人航空機位置情報を取得する無人航空機位置取得手段と、前記無人航空機の目的地に関する目的地情報を取得する目的地取得手段と、を更に含み、前記飛行制御手段は、前記無人航空機位置情報と前記目的地情報とに基づいて、前記無人航空機の現在の位置から、前記飛行禁止領域を避けて前記目的地に到達するように、前記無人航空機の飛行を制御する、ことを特徴とする。
【００１１】
また、本発明の一態様では、前記領域設定手段は、前記移動体位置情報に基づいて、前記飛行禁止領域のサイズ及び形状の少なくとも一方を決定する、ことを特徴とする。
【００１２】
また、本発明の一態様では、前記無人航空機制御システムは、前記移動体の現在の状況に関する移動体状況情報を取得する状況取得手段を更に含み、前記領域設定手段は、前記移動体状況情報に基づいて、前記飛行禁止領域を設定する、ことを特徴とする。
【００１３】
また、本発明の一態様では、前記移動体状況情報は、前記移動体の現在の移動状況に関するものであり、前記領域設定手段は、前記移動体状況情報が示す現在の移動状況に基づいて、前記飛行禁止領域を設定する、ことを特徴とする。
【００１４】
また、本発明の一態様では、前記無人航空機制御システムは、前記移動体の性質に関する移動体性質情報を取得する性質取得手段を更に含み、前記領域設定手段は、前記移動体性質情報に基づいて、前記飛行禁止領域を設定する、ことを特徴とする。
【００１５】
また、本発明の一態様では、前記無人航空機制御システムは、前記移動体位置情報に基づいて、前記移動体の現在の位置からの移動を予測する移動予測手段を更に含み、前記領域設定手段は、前記移動予測手段の予測結果に基づいて、前記飛行禁止領域を設定する、ことを特徴とする。
【００１６】
また、本発明の一態様では、前記移動予測手段は、時系列的に前記移動体の移動を予測し、前記領域設定手段は、前記移動予測手段により予測された時点ごとに前記飛行禁止領域を設定し、前記飛行制御手段は、前記飛行禁止領域の時系列的な変化に基づいて、前記無人航空機の飛行制御を行う、ことを特徴とする。
【００１７】
また、本発明の一態様では、前記無人航空機制御システムは、前記無人航空機が前記飛行禁止領域を避けて目的地に飛行する場合の到着時間に関する時間情報と移動距離に関する距離情報とを取得する情報取得手段を更に含み、前記飛行制御手段は、前記時間情報と前記距離情報とに基づいて、前記無人航空機の飛行制御を行う、ことを特徴とする。
【００１８】
また、本発明の一態様では、前記無人航空機制御システムは、前記到着時間又は前記移動距離の何れを優先するかに関する指定を受け付ける指定受付手段を更に含み、前記飛行制御手段は、前記指定受付手段が受け付けた指定結果に基づいて、前記無人航空機の飛行制御を行う、ことを特徴とする。
【００１９】
また、本発明の一態様では、前記飛行制御手段は、前記無人航空機を待機させることによって、前記飛行禁止領域を避けるように前記無人航空機の飛行を制御する、ことを特徴とする。
【００２０】
また、本発明の一態様では、前記移動体は、ゴルフ場において移動するプレイヤ又はゴルフカートであり、前記移動体位置取得手段は、プレイヤ端末又はゴルフカート端末のＧＰＳセンサの検出信号に基づいて、前記プレイヤ又は前記ゴルフカートの現在の位置を示す前記移動体位置情報を取得し、前記領域設定手段は、前記プレイヤ又は前記ゴルフカートの現在の位置に基づいて、前記飛行禁止領域を設定し、前記飛行制御手段は、前記プレイヤ又は前記ゴルフカートの現在の位置に基づいて設定された前記飛行禁止領域を避けるように、前記ゴルフ場内の所定地点に運ぶ荷物を載せた前記無人航空機の飛行を制御する、ことを特徴とする。
【発明の効果】
【００２１】
本発明によれば、移動体の移動に応じて変化する飛行禁止領域を避けて無人航空機を飛行させることが可能になる。
【図面の簡単な説明】
【００２２】
【図１】無人航空機制御システムの全体構成を示す図である。
【図２】荷物格納部を説明するための図であり、無人航空機の外観図である。
【図３】プレイヤが商品を注文する様子を示す図である。
【図４】プレイヤが注文した商品が配送される様子を示す図である。
【図５】無人航空機制御システムで実現される機能の一例を示す機能ブロック図である。
【図６】地図データの一例を示す図である。
【図７】受取所データの一例を示す図である。
【図８】飛行禁止領域が設定される様子を示す図である。
【図９】飛行禁止領域が設定される様子を示す図である。
【図１０】飛行禁止領域が設定される様子を示す図である。
【図１１】飛行禁止領域が設定される様子を示す図である。
【図１２】飛行禁止領域を避ける飛行ルートを示す図である。
【図１３】無人航空機制御システムにおいて実行される処理の一例を示すフロー図である。
【図１４】飛行禁止領域回避処理の詳細を示す図である。
【図１５】変形例の機能ブロック図である。
【図１６】プレイヤが移動中に設定される飛行禁止領域を示す図である。
【図１７】プレイヤが停止中に設定される飛行禁止領域を示す図である。
【図１８】変形例（３）における飛行禁止領域の設定方法を示す図である。
【発明を実施するための形態】
【００２３】
［１．無人航空機制御システムの全体構成］
以下、本発明に関わる無人航空機制御システムの実施形態の例を説明する。本実施形態では、ゴルフ場でラウンド中のプレイヤが注文した商品を無人航空機が届ける場面を例に挙げて、無人航空機制御システムに係る処理を説明する。
【００２４】
図１は、無人航空機制御システムの全体構成を示す図である。図１に示すように、無人航空機制御システム１は、管理者端末１０、無人航空機２０、及び移動体端末３０を含む。管理者端末１０、無人航空機２０、及び移動体端末３０は、それぞれネットワークを介してデータ送受信可能に接続される。なお、図１では、管理者端末１０、無人航空機２０、及び移動体端末３０を１台ずつ記載しているが、これらは複数台ずつあってもよい。
【００２５】
管理者端末１０は、管理者が操作するコンピュータであり、例えば、パーソナルコンピュータ、サーバコンピュータ、又は携帯型端末（タブレット型端末やスマートフォンを含む）である。管理者は、無人航空機制御システム１を管理する者であり、例えば、商品の配送サービスを提供するゴルフ場の係員である。例えば、管理者端末１０は、ゴルフ場のクラブハウス内又はその付近で管理者により操作されるようにしてよい。管理者端末１０は、制御部１１、記憶部１２、通信部１３、操作部１４、及び表示部１５を含む。
【００２６】
制御部１１は、例えば、少なくとも１つのマイクロプロセッサを含む。制御部１１は、記憶部１２に記憶されたプログラムやデータに従って処理を実行する。記憶部１２は、主記憶部及び補助記憶部を含む。例えば、主記憶部はＲＡＭなどの揮発性メモリであり、補助記憶部は、ハードディスクやフラッシュメモリなどの不揮発性メモリである。通信部１３は、有線通信又は無線通信用の通信インタフェースを含む。通信部１３は、ネットワークを介してデータ通信を行う。操作部１４は、入力デバイスであり、例えば、タッチパネルやマウス等のポインティングデバイスやキーボード等である。操作部１４は、操作内容を制御部１１に伝達する。表示部１５は、例えば、液晶表示部又は有機ＥＬ表示部等である。表示部１５は、制御部１１の指示に従って画面を表示する。
【００２７】
無人航空機２０は、人が搭乗しない航空機であり、例えば、バッテリーで駆動する無人航空機（いわゆるドローン）やエンジンで駆動する無人航空機である。本実施形態では、無人航空機２０は、クラブハウスの近くに発着所があり、管理者の管理下に置かれるものとする。無人航空機２０は、制御部２１、記憶部２２、通信部２３、センサ部２４、及び荷物格納部２５を含む。なお、制御部２１、記憶部２２、及び通信部２３のハードウェア構成は、それぞれ制御部１１、記憶部１２、及び通信部１３と同様であるので説明を省略する。また、無人航空機２０は、プロペラ・モーター・バッテリーなどの一般的な物理的構成も含むが、ここでは説明を省略する。
【００２８】
センサ部２４は、カメラ２４Ａ及びＧＰＳセンサ２４Ｂを含む。カメラ２４Ａは、ＣＣＤイメージセンサやＣＭＯＳイメージセンサなどの撮像素子を含み、当該撮像素子が撮影した画像（静止画又は動画）をデジタルデータとして記録する。ＧＰＳセンサ２４Ｂは、衛星からの信号を受信する受信機を含み、当該受信機が受信した信号に基づいて位置情報を検出する。なお、無人航空機２０には、任意のセンサが搭載されてよく、センサ部２４は、赤外線センサ、音声センサ（マイク）、風向風速センサ、加速度センサ、ジャイロセンサ、地磁気センサ、高度センサ、変位センサ、温度センサ、又は熱検知センサ等を含んでもよい。
【００２９】
荷物格納部２５は、無人航空機２０に荷物を固定する固定部材を含む。図２は、荷物格納部２５を説明するための図であり、無人航空機２０の外観図である。図２に示すように、例えば、荷物格納部２５は、荷物を格納するスペースを有するフレーム２５Ａを含む。例えば、プレイヤが注文した商品が箱に格納されて運搬される場合、フレーム２５Ａは、その内部に箱を載置して固定できる程度の大きさとなっている。
【００３０】
また、荷物格納部２５は、配送中の荷物が下に落ちないように支えるアーム２５Ｂと、公知のロック機構を有する固定部材２５Ｃと、を含む。管理者は、荷物をアーム２５Ｂの上に載置すると、固定部材２５Ｃを閉じて荷物が水平方向に動かないように固定する。アーム２５Ｂは、図示しないモータの回転により開閉可能になっており、無人航空機２０が所定の受取所に着陸するとアーム２５Ｂが下側に向けて開き、アーム２５Ｂの上に載置された荷物が数ｃｍ程度下方に落ちて地上に配置できるようになっている。
【００３１】
なお、荷物格納部２５は、荷物を格納及び固定するスペースを有するものであればよく、上記の例に限られない。例えば、荷物を左右方向及び上下方向から挟むことで固定するアームを有していてもよいし、磁力によって荷物を固定するマグネットを有していてもよい。また例えば、荷物格納部２５は、荷物を格納する格納容器、ネット、又は袋などを有していてもよい。
【００３２】
移動体端末３０は、移動体とともに移動するコンピュータであり、例えば、携帯型端末（タブレット型端末やスマートフォンを含む）又はパーソナルコンピュータ等である。移動体とは、地球上を移動する物体であり、例えば、人などの動物、自動車、バイク、又は電車などである。別の言い方をすれば、移動体は、飛行禁止領域を設定する対象物である。本実施形態では、ゴルフ場において移動するプレイヤが移動体である場合を説明する。移動体端末３０は、可搬型の端末であり、例えば、プレイヤが着ている洋服のポケットに格納される。
【００３３】
移動体端末３０は、制御部３１、記憶部３２、通信部３３、操作部３４、表示部３５、及びＧＰＳセンサ３６を含む。これらのハードウェア構成は、それぞれ制御部１１、記憶部１２、通信部１３、操作部１４、表示部１５、及びＧＰＳセンサ２４Ｂと同様であるので説明を省略する。
【００３４】
なお、記憶部１２，２２，３２に記憶されるものとして説明するプログラム及びデータは、ネットワークを介して供給されるようにしてもよい。また、管理者端末１０、無人航空機２０、及び移動体端末３０のハードウェア構成は、上記の例に限られず、種々のコンピュータのハードウェアを適用可能である。例えば、管理者端末１０、無人航空機２０、及び移動体端末３０の各々は、コンピュータ読み取り可能な情報記憶媒体を読み取る読取部（例えば、光ディスクドライブやメモリカードスロット）を含んでもよい。この場合、情報記憶媒体に記憶されたプログラムやデータが読取部を介して供給されるようにしてもよい。
【００３５】
［２．無人航空機制御システムの処理の概要］
次に、図３及び図４を参照し、無人航空機制御システム１の処理の概要を説明する。図３は、プレイヤが商品を注文する様子を示す図であり、図４は、プレイヤが注文した商品が配送される様子を示す図である。
【００３６】
図３に示すように、プレイヤが操作部３４を操作して、専用のアプリケーションを起動したり、ウェブブラウザから所定のウェブサイトに接続したりすると、プレイ中のホールを選択するための注文画面４０Ａが表示部３５に表示される。プレイヤが注文画面４０Ａからプレイ中のホールを選択すると、商品の受取所を示す注文画面４０Ｂが表示される。商品の受取所は、例えば、プレイ中のホールよりも後のホールの所定場所に設定される。
【００３７】
注文画面４０Ｂの注文ボタン４１をプレイヤが選択すると、商品のリスト４２を示す注文画面４０Ｃが表示される。プレイヤがリスト４２内のアイコン４３を選択すると、商品を買い物かごに入れることができる。なお、無人航空機２０が配送可能な商品の総重量は上限値が設定されており、注文画面４０Ｃには、買い物かごに入れた商品の総重量と上限値との関係４４が表示される。プレイヤが買い物かごに入れた商品を注文するための所定操作を行うと、移動体端末３０から管理者端末１０に注文内容が送信され、注文が完了した旨のメッセージが注文画面４０Ｄに表示される。
【００３８】
管理者端末１０が移動体端末３０から注文内容を受信すると、図４に示す注文受付画面５０が表示部１５に表示される。管理者は、注文受付画面５０から注文内容を確認し、商品を専用の箱に入れて荷物格納部２５のフレーム２５Ａの内部に格納して固定部材２５Ｃを閉じてロックする。管理者が操作部１４を操作して配送開始ボタン５１を選択すると、管理者端末１０から無人航空機２０に対し、荷物の配送指示が送信される。本実施形態では、クラブハウスＣから受取所Ｑへの最短の飛行ルートが配送指示に含まれるものとする。なお、飛行ルートは、飛行すべき位置だけを示すものではなく、各位置の通過時刻も含む飛行計画を示すものであってもよい。無人航空機２０は、配送指示に含まれる飛行ルートに基づいて飛行を開始する。
【００３９】
無人航空機２０の飛行中において、管理者端末１０は、無人航空機２０及び移動体端末３０から現在位置を受信し、ラウンド中の各プレイヤ付近及びショットの予想弾道付近を無人航空機２０が飛行しないように、飛行ルートを調整する。飛行ルートの変更が必要な場合、管理者端末１０は、新たな飛行ルートを無人航空機２０に送信する。無人航空機２０は、受信した新たな飛行ルートに基づいて、飛行ルートを変更する。このように、無人航空機制御システム１は、無人航空機２０が商品の配送に出発してから、商品の配送を終えてクラブハウスＣに戻ってくるまで、プレイヤ付近及びショットの予想弾道付近を避けるように飛行ルートを調整するようになっている。以降、当該技術の詳細について説明する。
【００４０】
［３．無人航空機制御システムにおいて実現される機能］
図５は、無人航空機制御システム１で実現される機能の一例を示す機能ブロック図である。図５に示すように、無人航空機制御システム１では、データ記憶部１００、無人航空機位置取得部１０１、移動体位置取得部１０２、領域設定部１０３、目的地取得部１０４、及び飛行制御部１０５が実現される。本実施形態では、これら各機能が、管理者端末１０において実現される場合を説明する。
【００４１】
［３−１．データ記憶部］
データ記憶部１００は、記憶部１２を主として実現される。データ記憶部１００は、無人航空機２０の飛行ルートを決定するためのデータを記憶する。ここでは、データ記憶部１００が記憶するデータとして、無人航空機２０が飛行する地域の地図データと、無人航空機２０の目的地の一例である受取所を示す受取所データと、を説明する。
【００４２】
図６は、地図データの一例を示す図である。本実施形態では、無人航空機２０はゴルフ場の上空を飛行するので、図６に示すように、地図データは、各コースのレイアウトを示すコースマップであってよい。なお、地図データが示す地図は、平面的な情報のみからなる２次元的なものであってもよいし、高さの情報も含む３次元的なものであってもよい。図６の地図データは、第１ホールＨ１〜第９ホールＨ９の各々のゴルフコースのレイアウトを示す。例えば、地図データは、地図上の各位置の緯度経度情報を含む。別の言い方をすれば、地図データは、地図に示された地域の緯度経度情報を含む。なお、緯度経度情報は、地球上の南北方向の位置及び東西方向の位置を特定する情報であり、例えば、度・分・秒の各数値により示される。
【００４３】
なお、無人航空機２０の発着所として、地図データが示す地図内の任意の位置が、データ記憶部１００に予め登録されているものとする。本実施形態では、クラブハウスＣ付近に無人航空機２０の発着所があるので、クラブハウスＣ付近の位置Ｐの緯度経度情報が、無人航空機２０の発着所として登録されている。
【００４４】
図７は、受取所データの一例を示す図である。図７に示すように、受取所データには、プレイヤが注文画面４０Ａから選択したプレイ中のホールと、受取所を識別情報と、の関係が定義されている。例えば、受取所の識別情報として、受取所の緯度経度情報が格納されているようにしてよい。本実施形態では、第５ホールＨ５〜第９ホールＨ９のティーグラウンド付近の位置Ｑ５〜Ｑ９が、受取所として指定されているものとする。これら５つの位置Ｑ５〜Ｑ９の何れが受取所として選択されるかは、プレイヤが選択したホールによって定まることになる。
【００４５】
なお、データ記憶部１００に記憶されるデータは上記の例に限られない。例えば、データ記憶部１００は、商品に関する商品データやプレイヤに関するプレイヤデータを記憶してもよい。例えば、商品データには、商品ごとに、商品の画像・詳細説明・在庫・重量・容積などが格納されており、注文画面４０Ｃを表示させるために参照される。また、プレイヤデータには、プレイヤごとに、プレイヤのアカウント・個人情報・商品の決済情報・移動体端末３０の識別情報などが格納されていてもよい。
【００４６】
［３−２．無人航空機位置取得部］
無人航空機位置取得部１０１は、制御部１１を主として実現される。無人航空機位置取得部１０１は、無人航空機２０の現在の位置に関する無人航空機位置情報を取得する。無人航空機位置情報は、無人航空機２０の位置を特定可能な情報であればよく、ここでは、ＧＰＳセンサ２４Ｂが検出した緯度経度情報を無人航空機位置情報として用いる場合を説明する。なお、無人航空機位置情報は、無人航空機２０の通信部３３が無線通信する基地局情報（例えば、無線ＬＡＮのアクセスポイント情報）であってもよい。
【００４７】
例えば、無人航空機位置取得部１０１は、計時処理を実行し、一定時間が経過するたびに、最新の無人航空機位置情報を取得する。本実施形態では、無人航空機位置取得部１０１が管理者端末１０で実現されるので、無人航空機位置取得部１０１は、一定時間が経過するたびに、無人航空機２０に対して無人航空機位置情報の取得要求を送信する。無人航空機２０は、取得要求を受信すると、ＧＰＳセンサ２４Ｂで検出した緯度経度情報を、無人航空機位置情報として管理者端末１０に送信する。無人航空機位置取得部１０１は、当該送信された無人航空機位置情報を受信する。
【００４８】
なお、上記のように取得要求が送信されなくても、無人航空機２０が計時処理を実行し、一定時間が経過するたびに、無人航空機２０から管理者端末１０に無人航空機位置情報が送信されるようにしてもよい。また、本実施形態では、無人航空機位置取得部１０１が定期的に無人航空機位置情報を取得する場合を説明したが、無人航空機位置取得部１０１は、ランダムに定まるタイミングなどにより不定期的に無人航空機位置情報を取得してもよい。
【００４９】
［３−３．移動体位置取得部］
移動体位置取得部１０２は、制御部１１を主として実現される。移動体位置取得部１０２は、地球上を移動する移動体の現在の位置に関する移動体位置情報を取得する。移動体位置情報は、移動体の位置を特定可能な情報であればよく、ここでは、ＧＰＳセンサ３６が検出した緯度経度情報を移動体位置情報として用いる場合を説明する。即ち、本実施形態では、移動体端末３０にＧＰＳセンサ３６が備えられているので、移動体位置取得部１０２は、移動体端末３０のＧＰＳセンサ３６の検出信号に基づいて、プレイヤの現在の位置を示す移動体位置情報を取得することになる。なお、移動体位置情報は、移動体端末３０の通信部３３が無線通信する基地局情報（例えば、無線ＬＡＮのアクセスポイント情報）であってもよい。
【００５０】
例えば、移動体位置取得部１０２は、無人航空機位置取得部１０１が取得した無人航空機位置情報に基づいて、無人航空機２０が所定の場所に近づいたかを判定する。そして、移動体位置取得部１０２は、無人航空機２０が所定の場所に近づいたと判定した場合、移動体端末３０に対して移動体位置情報の取得要求を送信する。なお、無人航空機２０は、ラウンド中の全プレイヤの邪魔になってはいけないので、取得要求は、注文をしたプレイヤだけでなく、ラウンド中の全プレイヤの移動体端末３０に送信される。各プレイヤの移動体端末３０は、取得要求を受信すると、ＧＰＳセンサ３６が検出した緯度経度情報を、移動体位置情報として管理者端末１０に送信する。移動体位置取得部１０２は、当該送信された移動体位置情報を受信する。
【００５１】
例えば、上記所定の場所は、ゴルフ場内の各ホールであってよい。このため、移動体位置取得部１０２は、無人航空機位置情報と地図データとに基づいて、無人航空機２０が何れかのホールに近づいたかを判定することになる。移動体位置取得部１０２は、無人航空機２０が何れかのホールに近づいたと判定した場合に、各移動体端末３０に対して取得要求を送信する。
【００５２】
なお、上記のように移動体位置情報が無人航空機２０の位置に応じたタイミングで取得されるのではなく、移動体位置取得部１０２は、ランダムに定まるタイミングなどにより不定期的に移動体位置情報を取得してもよい。更に、移動体位置取得部１０２は、不定期的に移動体位置情報を取得するのではなく、定期的に移動体位置情報を取得してもよい。例えば、移動体位置取得部１０２は、計時処理を実行し、一定時間が経過するたびに、最新の移動体位置情報を取得するようにしてもよい。この場合、移動体位置取得部１０２は、一定時間が経過するたびに、移動体端末３０に対して移動体位置情報の取得要求を送信するようにしてよい。なお、上記のように取得要求が送信されなくても、移動体端末３０が計時処理を実行し、一定時間が経過するたびに、移動体端末３０から管理者端末１０に移動体位置情報が送信されるようにしてもよい。
【００５３】
また、移動体位置情報が移動体端末３０のＧＰＳセンサ３６を利用して取得される場合を説明したが、移動体位置情報は、無人航空機２０のカメラ２４Ａを利用して取得されるようにしてもよい。この場合、移動体位置情報は、無人航空機２０とプレイヤとの相対的な位置関係を示す情報であってよい。他にも例えば、センサ部２４が熱検知センサを含む場合には、移動体位置情報は、熱検知センサの検出結果に基づいて取得されるようにしてもよい。
【００５４】
［３−４．領域設定部］
領域設定部１０３は、制御部１１を主として実現される。領域設定部１０３は、移動体位置情報に基づいて、無人航空機２０の飛行を禁止する飛行禁止領域を設定する。本実施形態では、ゴルフのプレイヤが移動体である場合を説明するので、領域設定部１０３は、プレイヤの現在の位置に基づいて、飛行禁止領域を設定することになる。
【００５５】
飛行禁止領域は、無人航空機２０が飛行する可能性のある地域に設定され、例えば、無人航空機２０が飛行するとプレイヤの邪魔になる領域を意味してもよいし、プレイヤが無人航空機２０の飛行の妨げになる領域を意味してもよい。別の言い方をすれば、飛行禁止領域は、無人航空機２０が飛行するとプレイヤ又は打球などに接触するおそれのある領域を意味してもよいし、無人航空機２０が飛行するとプレイヤの目障り又は耳障りになるおそれのある領域を意味してもよい。
【００５６】
領域設定部１０３は、移動体位置情報に基づいて定まる位置に、飛行禁止領域を設定する。例えば、領域設定部１０３は、移動体位置情報が示す位置を含むように飛行禁止領域を設定してもよい。この場合、移動体位置情報が示す位置は、飛行禁止領域内の任意の位置になればよく、例えば、飛行禁止領域の重心点となるようにしてもよいし、重心点とは異なる位置となるようにしてもよい。また例えば、領域設定部１０３は、移動体位置情報が示す位置を含まないように当該位置から所定距離以内に飛行禁止領域を設定してもよい。この場合、領域設定部１０３は、移動体位置情報が示す位置を囲むように飛行禁止領域を設定してもよいし、無人航空機位置情報が示す位置と移動体位置情報が示す位置との間に飛行禁止領域を設定してもよい。
【００５７】
飛行禁止領域のサイズ及び形状は、移動体位置情報に関係なく固定サイズ及び固定形状であってもよいが、本実施形態では、領域設定部１０３は、移動体位置情報に基づいて、飛行禁止領域のサイズ及び形状の少なくとも一方を決定する場合を説明する。別の言い方をすれば、飛行禁止領域のサイズ及び形状の少なくとも一方は、移動体位置情報に応じて変化する。なお、サイズとは、飛行禁止領域の面積を意味し、形状とは、飛行禁止領域の輪郭の形を意味する。ここでは、飛行禁止領域のサイズ及び形状の両方が可変である場合を説明するが、何れか一方のみが可変であってもよい。
【００５８】
移動体位置情報と、飛行禁止領域のサイズ及び形状と、の関係は、プログラムに記述されていてもよいし、数式形式やテーブル形式のデータとしてデータ記憶部１００が記憶してもよい。上記関係は、地球上の位置と、飛行禁止領域のサイズ及び形状と、の関係を示すものともいえる。領域設定部１０３は、移動体位置取得部１０２が取得した移動体位置情報に関連付けられたサイズ及び形状の飛行禁止領域を設定する。なお、本実施形態では、ゴルフ場内のホールごとに上記関係が定められているものとする。
【００５９】
図８〜図１１は、飛行禁止領域が設定される様子を示す図である。ここでは、プレイヤが第９ホールＨ９にいる場合に設定される飛行禁止領域を例に挙げて説明する。図８に示すように、第９ホールＨ９は、複数の小領域Ｈ９１〜Ｈ９３に分割されている。小領域Ｈ９１〜Ｈ９３は、それぞれホール序盤、中盤、終盤の領域である。小領域ごとに、無人航空機２０が飛行するとプレイヤの邪魔になってしまう範囲がことなるので、飛行禁止領域のサイズ及び形状を小領域に応じて異ならせるようにしている。
【００６０】
例えば、移動体位置情報が示す位置が小領域Ｈ９１に含まれる場合、図９に示すように、領域設定部１０３は、移動体位置情報と、小領域Ｈ９１に関連付けられた基準方向Ｖ９１と、に基づいて、飛行禁止領域Ａ９１を設定する。基準方向Ｖ９１は、ボールが小領域Ｈ９１内にある場合の標準的な飛び出し方向であり、例えば、ティーグラウンドから見て正面方向である。即ち、基準方向Ｖ９１は、小領域Ｈ９１からプレイヤがボールを飛ばすと予想される方向、又は、小領域Ｈ９１にいるプレイヤが見ると予想される方向である。別の言い方をすれば、基準方向Ｖ９１は、移動体位置情報が示す位置Ｍ１から見て飛行禁止領域Ａ９１が広がる方向である。
【００６１】
図９に示す例では、領域設定部１０３は、位置Ｍ１を含む半径Ｌ１の円領域と、位置Ｍ１と基準方向Ｖ９１とに基づいて定まる扇形領域と、を含む飛行禁止領域Ａ９１を設定する。扇形領域は、位置Ｍ１を中心とし、位置Ｍ１から基準方向Ｖ９１に伸びる長さＬ２の線分を半径とした、所定の中心角の領域である。なお、円領域は、無人航空機２０がプレイヤの周囲を飛行しないようにするためのものである。即ち、円領域は、無人航空機２０がプレイヤに接触しないようにしたり、無人航空機２０の飛行音がプレイヤの耳障りにならないようにしたりするためのものである。一方、扇形領域は、無人航空機２０が弾道の周囲を飛行しないようにするためのものであり、無人航空機２０がプレイヤの視界に入らないようにしたり、無人航空機２０とボールとが接触しないようにしたりするためのものでもある。
【００６２】
また例えば、移動体位置情報が示す位置が小領域Ｈ９２に含まれる場合、図１０に示すように、領域設定部１０３は、移動体位置情報と、小領域Ｈ９２に関連付けられた基準方向Ｖ９２と、に基づいて、飛行禁止領域Ａ９２を設定する。例えば、領域設定部１０３は、移動体位置情報が示す位置Ｍ２を含む半径Ｌ３の円領域と、位置Ｍ２と基準方向Ｖ９２とに基づいて定まる扇形領域と、を含む飛行禁止領域Ａ９２を設定する。基準方向Ｖ９２は、基準方向Ｖ９１と異なる方向であり、例えば、小領域Ｈ９２内の任意の点からグリーン内のピンに向けた方向である。また、半径Ｌ３，Ｌ４は、それぞれ半径Ｌ１，Ｌ２と異なる。このため、飛行禁止領域Ａ９２のサイズ及び形状は、飛行禁止領域Ａ９１のサイズ及び形状と異なっている。
【００６３】
また例えば、移動体位置情報が示す位置が小領域Ｈ９３に含まれる場合、図１１に示すように、領域設定部１０３は、移動体位置情報が示す位置Ｍ３を含む半径Ｌ５の円領域を飛行禁止領域Ａ９３として設定する。このように、飛行禁止領域Ａ９３は、基準方向を用いずに設定されてもよい。また、小領域Ｈ９３にはグリーンがあるので、プレイヤがパットに集中しやすくなるように、半径Ｌ５を半径Ｌ３，Ｌ４よりも長く設定してもよい。飛行禁止領域Ａ９３は、扇形領域を含まないので、飛行禁止領域Ａ９１，Ａ９２のサイズ及び形状と異なっている。
【００６４】
なお、飛行禁止領域は、任意の形状であってよく、上記説明した円形、扇形、又はこれらの組み合わせに限られない。飛行禁止領域は、三角形や四角形などの多角形であってもよいし、楕円形であってもよい。
【００６５】
［３−５．目的地取得部］
目的地取得部１０４は、制御部１１を主として実現される。目的地取得部１０４は、無人航空機２０の目的地に関する目的地情報を取得する。目的地は、無人航空機２０の行先であり、本実施形態では、プレイヤが注文した商品の受取所、又は、配送を終えた無人航空機２０が帰還する発着所である。このため、本実施形態では、目的地取得部１０４は、受取所データに示された何れかの受取所の緯度経度情報、又は、発着所として登録された緯度経度情報を目的地情報として取得することになる。
【００６６】
なお、無人航空機２０の目的地を自由に設定可能とする場合は、操作部１４，３４から目的地が入力されるようにしてもよい。即ち、目的地取得部１０４は、データ記憶部１００から目的地情報を取得してもよいし、操作部１４，３４から入力された目的地情報を取得するようにしてもよい。また、本実施形態では、目的地が設定されている場合を説明するが、無人航空機２０がゴルフ場の上空を巡回する場合などのように、特に目的地が設定されていないようにしてもよい。
【００６７】
［３−６．飛行制御部］
飛行制御部１０５は、制御部１１を主として実現される。飛行制御部１０５は、移動体位置情報に基づいて設定された飛行禁止領域を避けるように、無人航空機２０の飛行を制御する。本実施形態では、飛行制御部１０５が管理者端末１０において実現される場合を説明するので、無人航空機２０に対して飛行ルートを送信することが、無人航空機２０の飛行を制御することに相当する。
【００６８】
例えば、飛行制御部１０５は、経路探索アルゴリズムに基づいて、飛行禁止領域を避ける飛行ルートを決定する。飛行禁止領域を避ける飛行ルートとは、飛行ルートが飛行禁止領域に一切入らないこと、又は、飛行禁止領域に入っている部分の飛行ルートの距離、割合、若しくは飛行時間が閾値未満であること、を意味する。経路探索アルゴリズム自体は、公知の種々のアルゴリズムを適用可能であり、例えば、ダイクストラ法やエースター法などの最短経路探索アルゴリズムを用いてもよい。例えば、飛行制御部１０５は、これら公知の経路探索アルゴリズムにおいて、飛行禁止領域を障害物として設定し、当該障害物を避ける経路探索を実行することによって、飛行禁止領域を避ける飛行ルートを決定する。
【００６９】
例えば、飛行制御部１０５は、現在の飛行ルートと飛行禁止領域とを比較して、現在の飛行ルートが飛行禁止領域を避けるものであるかを判定するようにしてもよい。飛行制御部１０５は、現在の飛行ルートが飛行禁止領域を避けるものであると判定した場合、飛行ルートを変更しない。一方、飛行制御部１０５は、現在の飛行ルートが飛行禁止領域を避けるものではないと判定した場合、飛行禁止領域を避ける飛行ルートを新たに取得する。
【００７０】
図１２は、飛行禁止領域を避ける飛行ルートを示す図である。図１２に示すように、現在の飛行ルートＲ０は飛行禁止領域Ａ９２を横切っているので、飛行制御部１０５は、現在の飛行ルートＲ０は飛行禁止領域Ａ９２を避けるものでないと判定する。そして、飛行制御部１０５は、経路探索アルゴリズムに基づいて、飛行禁止領域Ａ９２を避ける新たな飛行ルートＲ１を取得する。図１２の例では、新たな飛行ルートＲ１は、無人航空機２０が目的地まで飛行禁止領域を通らずに飛行する飛行ルートとなっている。
【００７１】
例えば、往路であれば、飛行制御部１０５は、無人航空機２０の現在位置又は発着所の位置を出発地点として設定し、受取所の位置を到着地点として設定し、飛行禁止領域を障害物として設定したうえで経路探索アルゴリズムを実行して、新たな飛行ルートを取得すればよい。一方、復路であれば、飛行制御部１０５は、無人航空機２０の現在位置又は受取所の位置を出発地点として設定し、無人航空機２０の発着所の位置を到着地点として設定し、飛行禁止領域を障害物として設定したうえで経路探索アルゴリズムを実行して、新たな飛行ルートを取得すればよい。
【００７２】
上記のように、本実施形態では、無人航空機２０の目的地が定められているので、飛行制御部１０５は、無人航空機位置情報と目的地情報とに基づいて、無人航空機２０の現在の位置から、飛行禁止領域を避けて目的地に到達するように、無人航空機２０の飛行を制御することになる。また、本実施形態では、ゴルフのプレイヤが移動体である場合を説明するので、飛行制御部１０５は、プレイヤの現在の位置に基づいて設定された飛行禁止領域を避けるように、ゴルフ場内の所定地点に運ぶ荷物を載せた無人航空機２０の飛行を制御することになる。
【００７３】
なお、飛行禁止領域を避ける飛行ルートの取得方法は、上記の例に限られない。例えば、飛行制御部１０５は、経路探索アルゴリズムによって新たな飛行ルートを計算しなおさなくても、現在の飛行ルートのうち、飛行禁止領域に含まれる部分を飛行禁止領域の外に向けて移動させることによって、新たな飛行ルートを取得してもよい。即ち、飛行制御部１０５は、飛行禁止領域を迂回する飛行ルートを任意の方法によって取得すればよい。
【００７４】
［４．無人航空機制御システムにおいて実行される処理］
図１３は、無人航空機制御システム１において実行される処理の一例を示すフロー図である。図１３に示す処理は、制御部１１，２１，３１が、それぞれ記憶部１２，２２，３２に記憶されたプログラムに従って動作することによって実行される。本実施形態では、下記に説明する処理が実行されることにより、図５に示す機能ブロックが実現される。
【００７５】
図１３に示すように、まず、移動体端末３０においては、制御部３１は、表示部３５に注文画面４０を表示させて、プレイヤによる商品注文を受け付ける（Ｓ１）。Ｓ１においては、図３を参照して説明した流れにより注文操作が行われる。例えば、プレイヤが注文画面４０Ａから選択したホールが移動体端末３０から管理者端末１０に送信され、受取所データにおいて当該選択されたホールに関連付けられた受取所の情報が管理者端末１０から移動体端末３０に送信される。プレイヤが注文画面４０Ｂの注文ボタン４１を選択すると、所定の通知が移動体端末３０から管理者端末１０に送信され、商品データが示す商品の情報が管理者端末１０から移動体端末３０に送信される。プレイヤが注文画面４０Ｃから商品を選択して所定の操作を行うと注文が確定する。
【００７６】
制御部３１は、注文画面４０Ｃから所定の操作が行われると、注文内容を管理者端末１０に送信する（Ｓ２）。Ｓ２において送信される注文内容には、移動体端末３０の識別情報及びプレイヤが注文した商品に関する情報が含まれる。管理者端末１０においては、注文内容を受信すると、制御部１１は、注文された商品を管理者に通知するための注文受付画面５０を表示部１５に表示させる（Ｓ３）。その後、管理者は、プレイヤが注文した商品を箱に入れて荷物格納部２５に格納及び固定することになる。
【００７７】
制御部１１は、管理者が配送指示ボタン５１を選択すると、地図データ及び受取所データに基づいて、往路の初期飛行ルートとして受取所への最短ルートを決定し、無人航空機２０に対して配送開始指示を送信する（Ｓ４）。Ｓ４においては、制御部１１は、記憶部１２に登録された発着所の緯度経度情報と、受取所データに格納された受取所の緯度経度情報と、を取得する。そして、制御部１１は、地図データを参照して、発着所から受取所までの最短経路上の緯度経度情報を取得し、往路の初期飛行ルートとして決定する。配送開始指示には、往路の初期飛行ルートが含まれる。
【００７８】
無人航空機２０においては、配送開始指示を受信すると、制御部２１は、往路の初期飛行ルートに基づいて、飛行を開始する（Ｓ５）。なお、指定された飛行ルートに基づいて飛行する方法自体は、公知の種々の自律飛行制御を適用可能である。例えば、無人航空機２０は、ＧＰＳセンサ２４Ｂが検出した無人航空機位置情報を自機の現在位置とし、飛行ルートが示す緯度経度上を移動するように、各プロペラの回転を制御する。例えば、無人航空機２０は、各プロペラの回転数が同じ又は略同じである場合は水平方向に移動せず、各プロペラの回転数が異なる場合に、回転数が相対的に少ないプロペラの方向に進むので、飛行ルートが示す飛行方向側にあるプロペラの回転数を相対的に下げるように、各プロペラの回転数を示すパラメータを決定すればよい。なお、無人航空機２０は、ジャイロセンサや地磁気センサを利用して自機の姿勢や向きを特定すればよい。
【００７９】
無人航空機２０が飛行を開始すると、管理者端末１０と無人航空機２０との間で、往路において無人航空機２０が飛行禁止領域を避けるための飛行禁止領域回避処理が実行される（Ｓ６）。
【００８０】
図１４は、飛行禁止領域回避処理の詳細を示す図である。図１４に示すように、無人航空機２０において、制御部２１は、ＧＰＳセンサ２４Ｂが検出した無人航空機位置情報を定期的に管理者端末１０に対して送信する（Ｓ１００）。Ｓ１００においては、制御部２１は、計時処理を実行し、一定時間が経過するたびに最新の無人航空機位置情報を管理者端末１０に送信する。
【００８１】
管理者端末１０においては、無人航空機位置情報を受信すると、制御部１１は、無人航空機位置情報と地図データとに基づいて、無人航空機２０が何れかのホールに近づいたかを判定する（Ｓ１０１）。地図データには、各ホールの緯度経度情報が示されているので、Ｓ１０１においては、制御部１１は、無人航空機位置情報が示す位置と各ホールとの距離が閾値未満になったかを判定することになる。
【００８２】
何れかのホールに近づいたと判定されない場合（Ｓ１０１；Ｎ）、飛行禁止領域回避処理は終了する。この場合、無人航空機２０が、コース付近を飛行しておらず、近くにプレイヤがいない蓋然性が高いため、飛行ルートを変更する必要がないものとして、現在の飛行ルートのまま飛行を継続する。
【００８３】
一方、何れかのホールに近づいたと判定された場合（Ｓ１０１；Ｙ）、制御部１１は、各移動体端末３０に対して移動体位置情報の取得要求を送信して移動体位置情報を取得する（Ｓ１０２）。Ｓ１０２においては、制御部１１は、注文をしたプレイヤだけでなく、ラウンド中の全てのプレイヤの移動体端末３０に対して取得要求を送信して移動体位置情報を取得する。
【００８４】
なお、管理者端末１０と各プレイヤの移動体端末３０とは、予めデータ送受信可能に接続されているものとする。また、各プレイヤの移動体端末３０を識別する識別情報（例えば、ＩＰアドレスや個体識別情報）は、予め記憶部１２に記憶されており、制御部１１は、当該識別情報に基づいて、移動体位置情報の取得要求を送信する。各プレイヤの移動体端末３０では、取得要求を受信した場合は自動的に移動体位置情報を提供する旨の設定が予めなされているものとする。
【００８５】
制御部１１は、地図データと移動体位置情報とに基づいて、無人航空機２０が近づいたホールにプレイヤがいるかを判定する（Ｓ１０３）。Ｓ１０３においては、制御部１１は、無人航空機２０が近づいたホール内又は当該ホールから所定距離以内の移動体位置情報が検出されたかを判定する。
【００８６】
プレイヤがいないと判定された場合（Ｓ１０３；Ｎ）、飛行禁止領域回避処理は終了する。この場合、無人航空機２０が近づいたホールにプレイヤがおらず、そのまま当該ホールを横切っても差し支えないため、現在の飛行ルートのまま飛行を継続する。
【００８７】
一方、プレイヤがいると判定された場合（Ｓ１０３；Ｙ）、制御部１１は、移動体位置情報に基づいて、無人航空機２０が近づいたホールに飛行禁止領域を設定する（Ｓ１０４）。Ｓ１０４においては、制御部１１は、無人航空機２０が近づいたホール内又は当該ホールから所定距離以内の移動体位置情報に基づいて、飛行禁止領域のサイズ及び形状を決定する。制御部１１は、当該決定したサイズ及び形状の飛行禁止領域を地図データが示す地図上に設定する。
【００８８】
制御部１１は、現在の飛行ルートがＳ１０４で設定した飛行禁止領域を横切るかを判定する（Ｓ１０５）。Ｓ１０５においては、制御部１１は、飛行ルート上の緯度経度情報が飛行禁止領域に含まれるかを判定する。
【００８９】
飛行禁止領域を横切ると判定されない場合（Ｓ１０５；Ｎ）、飛行禁止領域回避処理は終了する。この場合、無人航空機２０が近づいたホールにプレイヤはいるが、その付近を飛行せず、そのまま当該ホールを横切っても差し支えないため、現在の飛行ルートのまま飛行を継続する。
【００９０】
一方、飛行禁止領域を横切ると判定された場合（Ｓ１０５；Ｙ）、制御部１１は、Ｓ１０４で設定した飛行禁止領域を避けるように、新たな飛行ルートを決定して無人航空機２０に対して送信する（Ｓ１０６）。Ｓ１０６においては、制御部１１は、経路探索アルゴリズムに基づいて、最新の無人航空機位置情報から目的地（往路であれば受取所であり、復路であれば発着所である。）まで飛行禁止領域を迂回する飛行ルートを計算する。
【００９１】
無人航空機２０においては、新たな飛行ルートを受信すると、制御部２１は、当該新たな飛行ルートに変更し（Ｓ１０７）、飛行禁止領域回避処理は終了する。Ｓ１０７においては、制御部２１は、自律飛行制御において参照する飛行ルートを新たな飛行ルートに切り替える。
【００９２】
図１３に戻り、Ｓ６の飛行禁止領域回避処理が実行されると、無人航空機２０においては、制御部２１は、ＧＰＳセンサ２４Ｂが検出した無人航空機位置情報に基づいて、受取所に到着したかを判定する（Ｓ７）。Ｓ７においては、制御部２１は、無人航空機位置情報と、往路の飛行ルートの終点の緯度経度情報と、が一致するかを判定する。
【００９３】
受取所に到着したと判定されない場合（Ｓ７；Ｎ）、Ｓ６の飛行禁止領域回避処理が再び実行され、受取所に到着するまで、飛行禁止領域を避けるように飛行ルートの調整が行われる。
【００９４】
一方、受取所に到着したと判定された場合（Ｓ７；Ｙ）、制御部２１は、受取所に商品を配置し、所定の配送完了通知を管理者端末１０に対して送信する（Ｓ８）。Ｓ８においては、制御部２１は、各プロペラの回転数を落として無人航空機２０の高度を低下させて地上に着陸させる。なお、着陸場所を案内するための所定のマークを受取所に配置しておき、制御部２１は、カメラ２４Ａで当該マークを検出することによって、着陸位置の精度を高めてもよい。無人航空機２０が着陸すると、制御部２１は、荷物格納部２５のアーム２５Ｂが開くようにモータを制御し、荷物を数ｃｍ程度下方に落下させる。なお、制御部２１は、プロペラの回転数を０にした場合に無人航空機２０が着陸したと判定してもよいし、無人航空機２０が地上に接する面に感圧センサを配置しておき、感圧センサの検出信号に基づいて着陸を検知してもよい。また、配送完了通知は、所定のデータ形式で行われるようにすればよい。
【００９５】
管理者端末１０においては、配送完了通知を受信すると、制御部１１は、復路の初期飛行ルートを決定して、帰還開始指示を送信する（Ｓ９）。Ｓ９においては、制御部１１は、記憶部１２に登録された発着所の緯度経度情報と、最新の無人航空機位置情報又は受取所の緯度経度情報と、を取得する。そして、制御部１１は、地図データを参照して、無人航空機２０の現在の位置又は受取所から発着所までの最短経路上の緯度経度情報を取得し、復路の初期飛行ルートとして決定する。帰還開始指示には、往路の初期飛行ルートが含まれる。
【００９６】
無人航空機２０においては、帰還開始指示を受信すると、制御部２１は、制御部２１は、帰還開始指示に含まれる復路の初期飛行ルートに基づいて、発着所への帰還を開始し（Ｓ１０）、管理者端末１０と無人航空機２０との間で、往路において無人航空機２０が飛行禁止領域を避けるための飛行禁止領域回避処理が実行される（Ｓ１１）。Ｓ１１では、再びＳ１００〜Ｓ１０７の処理が実行され、復路において、無人航空機２０が何れかのホールに近づいた場合に、そのホールにいるプレイヤの近くを飛行しないように、飛行ルートの調整が行われることになる。
【００９７】
無人航空機２０においては、制御部２１は、ＧＰＳセンサ２６Ｂが検出した無人航空機位置情報に基づいて、発着所に帰還したかを判定する（Ｓ１２）。Ｓ１２においては、制御部２１は、無人航空機位置情報と、復路の飛行ルートの終点の緯度経度情報と、が一致するか否かを判定する。
【００９８】
発着所に帰還したと判定されない場合（Ｓ１２；Ｎ）、Ｓ１１の飛行禁止領域回避処理が再び実行され、発着所に到着するまで、飛行禁止領域を横切らないように飛行ルートの調整が行われる。一方、発着所に帰還したと判定された場合（Ｓ１２；Ｙ）、本処理は終了する。この場合、無人航空機２０は発着所に着陸するように、プロペラの回転数を下げることになる。
【００９９】
以上説明した無人航空機制御システム１によれば、移動体位置情報に基づいて設定した飛行禁止領域を避けるように無人航空機２０が飛行するので、移動体の移動に応じて変化する飛行禁止領域を避けて無人航空機２０を飛行させることができる。即ち、移動体の移動に応じて飛行禁止領域が変化したとしても、当該飛行禁止領域を避けるように無人航空機を飛行させることができる。このため、無人航空機２０が地上の移動体の邪魔になったり、地上の移動体が無人航空機２０の邪魔になったりすることを確実に防止することができる。
【０１００】
また、飛行制御部１０５は、飛行禁止領域を避けながら受取所や発着所などの目的地までの飛行ルートを決定するので、無人航空機２０の現在の位置から飛行禁止領域を避けて目的地に到達するように無人航空機２０を飛行させることができる。このため、無人航空機２０をより確実に目的地に到達させることができる。更に、無人航空機２０が目的地までの間にある移動体の邪魔になったり、目的地までの間にある移動体が無人航空機２０の邪魔になったりすることを防止することもできる。
【０１０１】
また、領域設定部１０３が移動体位置情報に基づいてサイズ及び形状を決定した飛行禁止領域を避けるように無人航空機２０を飛行させることができる。即ち、飛行禁止領域のサイズ及び形状を移動体位置情報に応じた最適なものとすることができるので、無人航空機２０が移動体の邪魔になったり、移動体が無人航空機２０の邪魔になったりすることを確実に防止することができる。
【０１０２】
また、実施形態で説明したように、移動体位置情報がゴルフ場でプレイするプレイヤの位置を示す場合には、ゴルフ場におけるプレイヤの移動に応じて変化する飛行禁止領域を避けて無人航空機２０を飛行させることができる。このため、ゴルフ場において無人航空機２０が荷物を配送する場合に、無人航空機２０がラウンド中のプレイヤの邪魔（例えば、視覚的又は聴覚的な邪魔になり集中力を削いだり、打球が無人航空機２０に当たったりする）になったり、プレイヤが無人航空機２０の配送の邪魔（例えば、打球が無人航空機２０に当たる）になったりすることを確実に防止することができる。その結果、無人航空機２０が荷物の配送及びクラブハウスへの帰還を確実に完了することができる。
【０１０３】
［５．変形例］
なお、本発明は、以上に説明した実施の形態に限定されるものではない。本発明の趣旨を逸脱しない範囲で、適宜変更可能である。
【０１０４】
図１５は、変形例の機能ブロック図である。図１５に示すように、下記に説明する変形例では、実施形態の機能に加えて、状況取得部１０６、性質取得部１０７、移動予測部１０８、情報取得部１０９、及び指定受付部１１０が実現される。ここでは、これら各機能が管理者端末１０により実現される場合を説明する。
【０１０５】
（１）例えば、プレイヤが同じ位置にいたとしても、その時の状況によっては飛行禁止領域が異なることがある。例えば、プレイヤが移動している場合は、すぐにショットするわけではなく、無人航空機２０がプレイヤの視界や打球方向に入ったとしても邪魔にならない蓋然性が高いので、飛行禁止領域は狭く設定してもよい。一方、プレイヤが移動していない場合は、アドレスに入っていたりショット方向を確認したりしており、無人航空機２０がプレイヤの視界や打球方向に入ると邪魔になる蓋然性が高いので、飛行禁止領域は広く設定してもよい。このため、本変形例では、プレイヤの現在の状況に応じて飛行禁止領域を設定する場合を説明する。
【０１０６】
変形例（１）の無人航空機制御システム１は、状況取得部１０６を含む。状況取得部１０６は、制御部１１を主として実現される。状況取得部１０６は、移動体の現在の状況に関する移動体状況情報を取得する。なお、以降の変形例では、実施形態と同様に、移動体の一例としてプレイヤを説明するので、移動体状況情報は、プレイヤの現在の状況を示すことになる。
【０１０７】
例えば、移動体状況情報は、プレイヤの移動状況、プレイヤの動作、又はプレイヤの向きなどを示すようにしてよい。ここでは、移動体状況情報が、プレイヤの現在の移動状況に関するものである場合を説明する。移動状況は、移動中であるか否かを示してもよいし、移動方向又は移動速度を示してもよい。ここでは、移動状況が移動中であるか否かを示す場合を説明する。なお、移動中とは、単位時間あたりの移動量（移動体位置情報の変化量）が閾値以上であることを意味する。
【０１０８】
例えば、状況取得部１０６は、移動体位置情報の時系列的な変化に基づいて、移動体状況情報を取得する。状況取得部１０６は、移動体位置情報の単位時間あたりの変化量が閾値未満であれば、移動中ではないと判定し、移動中ではない旨を示す移動体状況情報を取得する。一方、状況取得部１０６は、移動体位置情報の単位時間あたりの変化量が閾値以上であれば、移動中であると判定し、移動中である旨を示す移動体状況情報を取得する。
【０１０９】
領域設定部１０３は、移動体状況情報に基づいて、飛行禁止領域を設定する。移動体状況情報と飛行禁止領域との関係は、プログラムに記述してもよいし、数式形式やテーブル形式のデータとしてデータ記憶部１００に記憶しておいてもよい。この関係には、移動体状況情報と、飛行禁止領域の位置・サイズ・形状の少なくとも１つと、が定義されているようにしてよい。領域設定部１０３は、状況取得部１０６が取得した移動体状況情報に関連付けられた飛行禁止領域を設定する。
【０１１０】
ここでは、移動体状況情報が移動状況を示す場合を説明するので、領域設定部１０３は、移動体状況情報が示す現在の移動状況に基づいて、飛行禁止領域を設定することになる。例えば、領域設定部１０３は、プレイヤが移動している場合と、プレイヤが移動していない場合と、で飛行禁止領域の位置、サイズ、及び形状の少なくとも１つを異ならせる。
【０１１１】
図１６は、プレイヤが移動中に設定される飛行禁止領域を示す図であり、図１７は、プレイヤが停止中に設定される飛行禁止領域を示す図である。図１６に示すように、領域設定部１０３は、移動体状況情報が移動中を示す場合には、移動体位置情報が示すプレイヤの位置Ｍ４を中心とした半径Ｌ６の円を飛行禁止領域Ａ９４として設定する。即ち、プレイヤが移動中であればすぐにショットするわけではないので、打球方向を特に考慮しない比較的小さな飛行禁止領域Ａ９４を設定してよい。
【０１１２】
また例えば、図１７に示すように、領域設定部１０３は、移動体状況情報が移動中ではないことを示す場合には、移動体位置情報が示すプレイヤの位置Ｍ５を所定方向に所定距離だけ移動させた位置Ｍ６を中心とした短径Ｌ７及び長径Ｌ８の楕円を飛行禁止領域Ａ９５として設定する。即ち、プレイヤが移動でなければすぐにショットする可能性があるため、打球方向を考慮した比較的大きな飛行禁止領域Ａ９５を設定してよい。
【０１１３】
図１６及び図１７に示すように、例えば、領域設定部１０３は、プレイヤが移動していない場合の飛行禁止領域が、プレイヤが移動している場合の飛行禁止領域よりも広くなるように、飛行禁止領域を決定するようにしてよい。飛行制御部１０５は、領域設定部１０３が移動体状況情報に応じて設定した飛行禁止領域を避ける飛行ルートを決定する。飛行禁止領域を避ける飛行ルートの決定方法自体は、実施形態で説明した方法と同様であってよい。この点は、後述する変形例でも同様である。
【０１１４】
変形例（１）によれば、移動体状況情報に応じた飛行禁止領域を避けるように無人航空機２０を飛行させることができる。プレイヤのその時の状況に応じた飛行禁止領域が設定されることで、無人航空機２０がプレイヤの邪魔になったり、プレイヤが無人航空機２０の邪魔になったりすることを、より確実に防止することができる。更に、例えば、プレイヤのその時の状況では不要なほど大きな飛行禁止領域が設定されることも防止できるので、無人航空機２０が無駄に大きく迂回することを防止することができる。その結果、無人航空機２０の消費電力の低減を図るとともに、目的地への到着時間を早めることができる。
【０１１５】
また、移動体状況情報がプレイヤの移動状況を示す場合には、プレイヤの移動状況に応じた飛行禁止領域を避けるように無人航空機２０を飛行させることができる。即ち、プレイヤの移動状況に応じた最適な飛行禁止領域を設定することができる。
【０１１６】
なお、移動体状況情報に応じてどのような飛行禁止領域を設定するかは、無人航空機制御システム１を利用する場面や移動体の種類などに応じて定めておけばよい。例えば、移動体が電車などである場合は、無人航空機２０との接触を回避するための空間的な余裕を確保するために、上記説明した変形例とは逆に、領域設定部１０３は、移動体状況情報が移動している旨を示す場合の飛行禁止領域が、移動体状況情報が移動していない旨を示す場合の飛行禁止領域よりも広くなるように、飛行禁止領域を設定してもよい。
【０１１７】
また例えば、先述したように、移動状況は移動方向を示してもよく、この場合は、状況取得部１０６は、移動体位置情報の時系列的な変化に基づいて移動方向を取得すればよい。例えば、領域設定部１０３は、移動体状況情報が示す移動方向側に広い飛行禁止領域を設定するようにしてよい。
【０１１８】
また例えば、移動状況は移動速度を示してもよく、この場合は、状況取得部１０６は、移動体位置情報の時系列的な変化に基づいて移動速度を取得すればよい。例えば、領域設定部１０３は、無人航空機２０との接触を回避するための空間的な余裕を確保するために、移動体状況情報が示す移動速度が速いほど飛行禁止領域を大きくし、移動速度が遅いほど飛行禁止領域を小さくしてよい。また例えば、上記とは逆に、領域設定部１０３は、変形例で説明したように移動速度に応じてプレイヤがアドレス中であるかを推測し、移動体状況情報が示す移動速度が速いほど飛行禁止領域を小さくし、移動速度が遅いほど飛行禁止領域を大きくしてもよい。
【０１１９】
また例えば、先述したように、移動体状況情報は移動状況以外の状況を示してもよく、例えば、移動体状況情報が動作の種類を示す場合には、状況取得部１０６は、移動体位置情報の変化に基づいて動作の種類を取得してもよいし、無人航空機２０のカメラ２４Ａが撮影した画像に基づいて動作の種類を取得してもよい。この場合、領域設定部１０３は、動作に応じた飛行禁止領域を設定することになる。例えば、領域設定部１０３は、プレイヤがアドレス動作をしている場合は、プレイヤが歩く動作をしている場合よりも飛行禁止領域を大きくしてもよい。
【０１２０】
また例えば、移動体状況情報が向き（例えば、プレイヤの顔の向きや体の向きなど）を示す場合には、状況取得部１０６は、移動体位置情報の変化に基づいて向きを取得してもよいし、無人航空機２０のカメラ２４Ａが撮影した画像に基づいて向きを取得してもよい。この場合、領域設定部１０３は、向きに応じた飛行禁止領域を設定することになる。例えば、領域設定部１０３は、プレイヤの顔の向きや体の向き方向に広くなるような飛行禁止領域を設定してよい。
【０１２１】
（２）また例えば、実施形態では移動体が人である場合を説明したが、先述したように、移動体は、自動車、バイク、又は電車などであってもよい。人、自動車、バイク、及び電車は、それぞれ移動のしかたが互いに異なるので、移動体が何であるかに応じて飛行禁止領域を異ならせてもよい。
【０１２２】
変形例（２）の無人航空機制御システム１は、性質取得部１０７を含む。性質取得部１０７は、制御部１１を主として実現される。性質取得部１０７は、移動体の性質に関する移動体性質情報を取得する。性質は、移動体が何であるかを示す情報である。別の言い方をすれば、性質は、分類学的に定義された分類、移動体の種類又は使用目的、移動体の能力又は性能などであってよい。ここでは、移動体性質情報は、人、自動車、バイク、又は電車の何れであるかを示すものである場合を説明する。
【０１２３】
例えば、性質取得部１０７は、移動体端末３０との通信内容に基づいて、移動体性質情報を取得するようにしてよい。性質取得部１０７は、移動体端末３０から、移動体端末３０の識別情報を取得し、当該識別情報に基づいて移動体性質情報を取得する。この場合、移動体端末３０の識別情報と、移動体性質情報と、の関係を示すデータは、予めデータ記憶部１００に記憶されているものとする。この関係には、例えば、ある移動体端末３０は人とともに移動するものであり、別の移動体端末３０は自動車とともに移動するものである、のような関係が示されている。性質取得部１０７は、移動体端末３０から取得した識別情報に関連付けられた移動体性質情報を取得することになる。これにより、無人航空機制御システム１は、移動体が何であるかを特定することができる。
【０１２４】
なお、移動体性質情報は、操作部１４，３４から入力されてもよい。この場合、性質取得部１０７は、操作部１４，３４から入力された移動体性質情報を取得することになる。他にも例えば、移動体性質情報は、無人航空機２０のカメラ２４Ａが撮影した画像に基づいて取得されるようにしてもよい。この場合、性質取得部１０７は、カメラ２４Ａが地上を撮影した撮影画像を画像解析することによって、移動体性質情報を取得すればよい。この画像解析では、人や自動車などの典型的な形状を示すテンプレート画像を利用したテンプレートマッチングが行われるようにしてよい。
【０１２５】
領域設定部１０３は、移動体性質情報に基づいて、飛行禁止領域を設定する。移動体性質情報と飛行禁止領域との関係は、プログラムに記述してもよいし、数式形式やテーブル形式のデータとしてデータ記憶部１００に記憶しておいてもよい。この関係には、移動体性質情報と、飛行禁止領域の位置・サイズ・形状の少なくとも１つと、が定義されているようにしてよい。領域設定部１０３は、性質取得部１０７が取得した移動体性質情報に関連付けられた飛行禁止領域を設定することになる。
【０１２６】
例えば、領域設定部１０３は、移動体性質情報に関連付けられた位置に、移動体性質情報に関連付けられたサイズ及び形状の飛行禁止領域を設定するようにしてよい。別の言い方をすれば、領域設定部１０３は、移動体性質情報が示す性質に応じて、設定する飛行禁止領域を異ならせることになる。
【０１２７】
例えば、領域設定部１０３は、移動体性質情報が自動車や電車を示す場合、移動体性質情報が人を示す場合よりも大きな飛行禁止領域を設定するようにしてよい。また例えば、自動車や電車は移動可能な方向が限られており急な方向転換ができないため、領域設定部１０３は、移動体性質情報が自動車や電車を示す場合、移動体性質情報が人を示す場合に比べて、移動方向側に広い飛行禁止領域を設定してもよい。
【０１２８】
変形例（２）によれば、移動体性質情報に応じた飛行禁止領域を避けるように無人航空機２０を飛行させることができる。即ち、移動体が何であるかによって飛行禁止領域が変わるので、無人航空機２０が移動体の邪魔になったり、移動体が無人航空機２０の邪魔になったりすることを、より確実に防止することができる。更に、例えば、移動体の性質によっては不要なほど大きな飛行禁止領域が設定されることも防止できるので、無人航空機２０が無駄な迂回をすることを防止することができる。その結果、無人航空機２０の消費電力の軽減を図るとともに、目的地への到着時間を早めることができる。
【０１２９】
なお、分類学的には同じ名前の物体であったとしても、その種類によっては、飛行禁止領域を異ならせた方がよいこともある。例えば、同じ電車であったとしても、新幹線と在来線とでは移動速度が異なるので、電車の種類に応じて飛行禁止領域を異ならせてもよい。この場合、移動体性質情報は、電車の種類を示すことになり、領域設定部１０３は、移動体性質情報が新幹線を示す場合、移動体性質情報が在来線を示す場合よりも大きな飛行禁止領域を設定するようにしてよい。
【０１３０】
また例えば、同じ自動車であったとしても、高速道路と一般道とでは移動速度が異なるので、自動車がどこを走るものであるかに応じて飛行禁止領域を異ならせてもよい。この場合、移動体性質情報は、どこを走行する自動車であるかを示すことになり、領域設定部１０３は、移動体性質情報が高速道路上の車を示す場合、移動体性質情報が一般道の車を示す場合よりも大きな飛行禁止領域を設定するようにしてよい。
【０１３１】
また例えば、同じバスであったとしても、乗り合いバスと観光バスとでは飛行禁止領域を異ならせた方がよいこともある。例えば、乗り合いバスでは、停留所に停車して乗客を乗せた後すぐに発車することが多いが、観光バスは、その場でしばらく停車して観光が終了した後に発車することが多い。移動体性質情報は、移動体の使用目的を示すものであってもよく、領域設定部１０３は、移動体性質情報が示す使用目的に基づいて、飛行禁止領域を設定してもよい。例えば、領域設定部１０３は、乗り合いバスの場合には、観光バスよりも大きな飛行禁止領域を設定してもよい。
【０１３２】
また例えば、プレイヤによっては、飛距離を出せるプレイヤもいれば飛距離を出せないプレイヤもいるので、プレイヤの飛距離に応じて飛行禁止領域を異ならせてもよい。この場合、移動体性質情報は、プレイヤの飛距離（即ち、プレイヤの能力）を示すことになり、領域設定部１０３は、領域設定部１０３は、移動体性質情報が示す飛距離が長いほど飛行禁止領域を広くし、移動体性質情報が示す飛距離が短いほど飛行禁止領域を狭くしてもよい。
【０１３３】
（３）また例えば、実施形態の無人航空機制御システム１は、飛行中の無人航空機２０がコースに近づいた場合に、その時のプレイヤの位置に応じて臨機応変に飛行ルートを調整する場合を説明したが、プレイヤの動きを予め予測しておいて、飛行ルートを決定するようにしてもよい。本変形例では、無人航空機制御システム１は、無人航空機２０が出発する前に、各プレイヤの現在の位置からの移動を予測して、予測結果に基づく飛行禁止領域を避ける飛行ルートを取得する場合を例に挙げて説明する。
【０１３４】
変形例（３）の無人航空機制御システム１は、移動予測部１０８を含む。移動予測部１０８は、制御部１１を主として実現される。移動予測部１０８は、移動体位置情報に基づいて、プレイヤの現在の位置からの移動を予測する。移動予測部１０８は、未来の１時点におけるプレイヤの位置を予想してもよいし、未来の複数の時点におけるプレイヤの位置を時系列的に予想してもよい。ここでは、移動予測部１０８が時系列的にプレイヤの移動を予測する場合を説明する。
【０１３５】
移動体位置情報と、未来の各時点におけるプレイヤの位置と、の関係は、プログラムに記述されていてもよいし、数式形式又はテーブル形式によりデータ記憶部１００に予め記憶されていてもよい。この関係は、プレイヤの現在の位置と未来の位置との関係が定義するものとも言える。例えば、この関係には、プレイヤの現在の位置と、現在のｎ分後（ｎは任意の数値）の位置と、の関係が定義されているようにしてよい。未来の位置は、ゴルフ場における標準的なプレイ進行に応じて定義しておけばよい。
【０１３６】
領域設定部１０３は、移動予測部１０８の予測結果に基づいて、飛行禁止領域を設定する。領域設定部１０３は、移動予測部１０８が予測した未来の各時点におけるプレイヤの位置に基づいて、飛行禁止領域を設定する。各時点の飛行禁止領域の設定方法自体は、実施形態や上記変形例で説明した方法と同じであってよい。即ち、領域設定部１０３は、現在以降の時点ごとに、実施形態で説明した方法と同様にして飛行禁止領域を設定すればよい。
【０１３７】
図１８は、変形例（３）における飛行禁止領域の設定方法を示す図である。図１８に示すｔ軸は、時間軸である。ここでは、図１８に示すように、ラウンド中のプレイヤが３組存在し、各組の移動体位置情報が示す位置を符号Ｍ７〜Ｍ９で記載している。ある時点ｔ１における位置Ｍ７は、第３ホールＨ３でプレイ中のプレイヤの位置を示し、位置Ｍ８は、第４ホールでプレイ中のプレイヤの位置を示し、位置Ｍ９は、第５ホールでプレイ中のプレイヤの位置を示している。
【０１３８】
例えば、プレイヤは、ボールがピンに近づくようにショットし、各ホールを順番にプレイするので、プレイヤの未来の位置は、現在の位置よりもピンに近い位置又は順番的に後のホール内の位置に定められているものとする。このため、時点ｔ１よりも後の時点ｔ２の位置Ｍ７〜Ｍ９は、時点ｔ１の位置Ｍ７〜Ｍ９よりも、ピンに向けて移動していたり次のホールに移動していたりする。同様に、時点ｔ２よりも後の時点ｔ３の位置Ｍ７〜Ｍ９は、時点ｔ２の位置Ｍ７〜Ｍ９よりも、ピンに向けて移動していたり次のホールに移動していたりする。
【０１３９】
本変形例では、図１８に示すような時系列的な移動が予測されるので、領域設定部１０３は、移動予測部１０８により予測された時点ごとに飛行禁止領域を設定する。即ち、領域設定部１０３は、プレイヤの位置の時系列的な変化に基づいて、飛行禁止領域の時系列的な変化を予想し、飛行制御部１０５は、飛行禁止領域の時系列的な変化に基づいて、無人航空機の飛行制御を行うことになる。
【０１４０】
例えば、図１８のような移動予測例において、無人航空機２０が位置Ｐから受取所Ｑ６まで飛行する場合、時点ｔ１に第３ホールＨ３〜第５ホールＨ５付近を飛行しようとすると、飛行禁止領域Ａ７〜Ａ９が密集しているので、無人航空機２０は、大きく迂回しなければならない。このため、飛行制御部１０５は、無人航空機２０が時点ｔ２又はｔ３において、第３ホールＨ３〜第５ホールＨ５を飛行するように、出発を待機したり飛行途中で待機したりする飛行ルートを取得してもよい。
【０１４１】
変形例（３）によれば、プレイヤの現在の位置からの移動を予測し、予測結果に基づく飛行禁止領域を避けるように無人航空機２０を飛行させることができるので、より確実に、無人航空機２０が飛行禁止領域を避けるように飛行させることができる。プレイヤの位置を予測することで、移動体位置情報を取得する頻度を低減することができるので、通信量を削減することができる。
【０１４２】
また、プレイヤの移動予測に基づいて時系列的に飛行禁止領域を設定する場合には、各時点に応じた詳細な移動予測をもとに最適な飛行禁止領域を設定することができる。
【０１４３】
（４）また例えば、無人航空機制御システム１は、到着時間や移動距離を考慮して飛行ルートを決定してもよい。その際に、無人航空機２０に到着時間を優先して飛行させるか、移動距離を優先して飛行させるかを、プレイヤや管理者などが指定できるようにしてもよい。
【０１４４】
本変形例の無人航空機制御システム１は、情報取得部１０９及び指定受付部１１０を含む。これらは、制御部１１を主として実現される。情報取得部１０９は、無人航空機が飛行禁止領域を避けて目的地に飛行する場合の到着時間に関する時間情報と移動距離に関する距離情報とを取得する。なお、飛行制御部１０５は複数の飛行ルートの候補を取得するようにしてもよく、この場合、情報取得部１０９は、飛行ルートの候補ごとに時間情報と距離情報を取得してもよい。飛行ルートの候補は、経路探索アルゴリズムに基づいて、発着所と受取所の間の最短経路、及び、最短経路との距離的な違いが閾値未満となる経路が取得されるようにすればよい。
【０１４５】
情報取得部１０９は、飛行制御部１０５が取得した飛行ルートに基づいて、時間情報と距離情報を取得する。例えば、情報取得部１０９は、飛行ルート上の緯度経度情報に基づいて、総飛行距離を計算することによって距離情報を取得する。また例えば、情報取得部１０９は、飛行ルートの総飛行距離を所定の飛行速度で割ることによって時間情報を取得する。飛行速度は、無人航空機２０の標準的な速度であり、予め指定された数値であってよい。
【０１４６】
指定受付部１１０は、到着時間又は移動距離の何れを優先するかに関する指定を受け付ける。例えば、指定受付部１１０は、操作部１４又は操作部３４からの入力に基づいて、指定を受け付ける。
【０１４７】
飛行制御部１０５は、時間情報と距離情報とに基づいて、無人航空機２０の飛行制御を行う。例えば、飛行制御部１０５は、指定受付部１１０が受け付けた指定結果に基づいて、無人航空機２０の飛行制御を行う。飛行制御部１０５は、到着時間を優先する旨の指定が受け付けられた場合、最も到着時間の短い飛行ルートに基づいて無人航空機２０の飛行制御を行う。一方、飛行制御部１０５は、移動距離を優先する旨の指定が受け付けられた場合、最も移動距離の短い飛行ルートに基づいて無人航空機２０の飛行制御を行う。
【０１４８】
変形例（４）によれば、到着時間や移動距離を考慮した飛行ルートに基づいて、無人航空機２０を飛行させることができる。このため、無人航空機２０に無駄のない飛行をさせることができる。
【０１４９】
また、到着時間を優先して無人航空機２０を飛行させたり、移動距離を優先して無人航空機２０を飛行させたりすることができる。このため、例えば、プレイヤや管理者に応じた飛行ルートで無人航空機２０を飛行させることができる。
【０１５０】
なお、飛行制御部１０５が時間情報と距離情報とに基づいて飛行制御を行う方法は、上記の例に限られず、特に到着時間や移動時間の優先を指定させなくてもよい。例えば、飛行制御部１０５は、時間情報と距離情報に基づいて所定の評価値を取得し、当該評価値に基づいて飛行ルートを決定してもよい。評価値は、時間的、距離的、消費エネルギー的なコストを示すものであってよい。例えば、評価値を算出するための数式を定義しておけばよい。この数式は、時間情報と距離情報が変数となっており、時間情報と距離情報の各々は、互いに異なる重み付けがなされていてよい。飛行制御部１０５は、評価値が示すコストを最小とする飛行ルートを取得するようにしてもよい。
【０１５１】
（５）また例えば、現在の飛行ルートが飛行禁止領域を横切っていたとしても、プレイヤが移動すれば、その部分が飛行禁止領域に含まれなくなる可能性がある。このため、飛行制御部１０５は、無人航空機２０を待機させることによって、飛行禁止領域を避けるように無人航空機２０の飛行を制御するようにしてもよい。
【０１５２】
ここでは、実施形態で説明したように、無人航空機２０が近づいたコースの飛行禁止領域を避ける場合を説明する。例えば、飛行制御部１０５は、現在の飛行ルートが飛行禁止領域を避けるものであるかを判定し、避けるものでないと判定した場合、飛行禁止領域の直前で無人航空機２０を待機させる。直前とは、飛行禁止領域から所定距離以内の場所である。
【０１５３】
飛行制御部１０５が管理者端末１０で実現される場合には、飛行制御部１０５は、所定の待機命令を無人航空機２０に送信することになる。待機命令は、所定のデータ形式で送信されるようにすればよい。なお、無人航空機２０がその場でホバリングすること、地上に着陸すること、又はある一定範囲内（例えば、半径５ｍ以内の領域）を周遊して留まることが、待機することに相当する。
【０１５４】
移動体位置取得部１０２は、無人航空機２０が待機している間、移動体位置情報を繰り返し取得する。領域設定部１０３は、移動体位置情報が取得されるたびに飛行禁止領域を設定する。飛行制御部１０５は、最新の飛行禁止領域と飛行ルートとを比較し、飛行ルートが最新の飛行禁止領域を避けるものであるかを判定する。飛行制御部１０５は、飛行ルートが最新の飛行禁止領域を避けるものでないと判定された場合は、無人航空機２０の待機を継続させ、飛行ルートが最新の飛行禁止領域を避けるものであると判定された場合は、所定の飛行再開指示を無人航空機２０に送信する。飛行再開指示は、所定のデータ形式で送信されるようにすればよい。無人航空機２０は、飛行再開指示を受信すると、待機を終了して飛行ルート上の飛行を開始することになる。
【０１５５】
変形例（５）によれば、無人航空機２０が無駄に迂回してしまうことを防止することができる。その結果、無人航空機２０が目的地に早く到着したり、無人航空機２０の消費電力を低減したりすることができる。
【０１５６】
なお、無人航空機２０を待機させる場所は、飛行禁止領域の直前でなくてもよい。例えば、変形例（３）のように、予め飛行禁止領域を予測する場合には、無人航空機２０を発着所で待機させ、出発を遅らせるようにしてもよい。また例えば、無人航空機２０の飛行中において、変形例（３）と同様の方法によって移動予測部１０８に飛行禁止領域の変化を予測させ、飛行制御部１０５は、実施形態で説明したような新たな飛行ルートで飛行させる場合の到着時間又は移動距離と、待機して現在の飛行ルートで飛行させる場合の到着時間又は移動距離と、に基づいて、無人航空機２０を待機させるかを決定してもよい。この場合、到着時間や移動距離は、変形例（４）と同様の方法で取得されるようにすればよい。飛行制御部１０５は、待機して現在の飛行ルートで飛行した方が新たな飛行ルートよりも到着時間が早い場合に、無人航空機２０を待機させてもよいし、待機して現在の飛行ルートで飛行した方が新たな飛行ルートよりも移動距離が短い場合は、無人航空機２０を待機させてもよい。飛行制御部１０５は、到着時間と移動距離の何れを優先するかに応じて、無人航空機２０を待機させるかを決定すればよい。
【０１５７】
（６）また例えば、上記変形例（１）〜（５）の何れか２つ以上を組み合わせるようにしてもよい。
【０１５８】
また例えば、移動体端末３０は、ゴルフカート内に配置されたゴルフカート端末であってよい。この場合、移動体はゴルフカートとなる。ゴルフカート端末は、例えば、プレイヤにコースの詳細を案内するための端末であってよい。移動体位置取得部１０２は、ゴルフカート端末である移動体端末３０のＧＰＳセンサ３６の検出信号に基づいて、ゴルフカートの現在の位置を示す移動体位置情報を取得してもよい。領域設定部１０３は、ゴルフカートの現在の位置に基づいて飛行禁止領域を設定し、飛行制御部１０５は、ゴルフカートの現在の位置に基づいて設定された飛行禁止領域を避けるように飛行することになる。
【０１５９】
また例えば、無人航空機２０が荷物を運ぶ場合を例に挙げて説明したが、移動体が移動する上空を無人航空機２０が飛行する場面に無人航空機制御システム１を適用すればよい。例えば、無人航空機２０が所定の場所の状況をカメラ２４Ａで撮影して情報提供を行うような場合にも無人航空機制御システム１を適用してもよい。
【０１６０】
また例えば、管理者端末１０、無人航空機２０、及び移動体端末３０が無人航空機制御システム１に含まれる場合を説明したが、無人航空機制御システム１は、１つ以上のコンピュータが含まれていればよく、他のコンピュータが含まれていてもよい。例えば、無人航空機２０が移動体位置情報を検出する場合には、移動体端末３０は無人航空機制御システム１に含まれていなくてもよい。更に、無人航空機２０が管理者端末１０の機能を備える場合には、管理者端末１０は無人航空機制御システム１に含まれなくてもよい。
【０１６１】
また例えば、上記説明した各機能は、無人航空機制御システム１の何れかのコンピュータで実現されるようにすればよく、管理者端末１０で実現されるものとして説明した機能は、無人航空機２０、移動体端末３０、又は他のコンピュータで実現されてもよい。例えば、データ記憶部１００が無人航空機２０によって実現されるようにしてもよい。また例えば、移動体位置取得部１０２が無人航空機２０によって実現される場合には、無人航空機２０は、移動体端末３０から直接的に移動体位置情報を取得してもよいし、自身のセンサ部２４の検出内容をもとに移動体位置情報を取得してもよい。また例えば、領域設定部１０３が無人航空機２０によって実現される場合には、無人航空機２０は、地図データに基づいて飛行禁止領域を設定するようにしてよい。また、飛行制御部１０５が無人航空機２０によって実現される場合には、無人航空機２０は、自身で飛行ルートを決定してプロペラの回転を制御することによって、飛行を制御するようにしてよい。更に、上記説明した各機能のうち、移動体位置取得部１０２、領域設定部１０３、及び飛行制御部１０５以外の機能は省略してもよい。
【図１】
2020102257.tif 000003
【図２】
2020102257.tif 000004
【図３】
2020102257.tif 000005
【図４】
2020102257.tif 000006
【図５】
2020102257.tif 000007
【図６】
2020102257.tif 000008
【図７】
2020102257.tif 000009
【図８】
2020102257.tif 000010
【図９】
2020102257.tif 000011
【図１０】
2020102257.tif 000012
【図１１】
2020102257.tif 000013
【図１２】
2020102257.tif 000014
【図１３】
2020102257.tif 000015
【図１４】
2020102257.tif 000016
【図１５】
2020102257.tif 000017
【図１６】
2020102257.tif 000018
【図１７】
2020102257.tif 000019
【図１８】
2020102257.tif 000020
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
地球上を移動する移動体の現在の位置に関する移動体位置情報を取得する移動体位置取得手段と、
前記移動体が移動中であるか否かを示す移動体状況情報を取得する状況取得手段と、
前記移動体位置情報と、前記移動体状況情報と、に基づいて、無人航空機の飛行を禁止する飛行禁止領域を設定する領域設定手段と、
前記飛行禁止領域を避けるように、前記無人航空機の飛行を制御する飛行制御手段と、
を含むことを特徴とする無人航空機制御システム。
【請求項２】
前記領域設定手段は、前記移動体が移動中である場合と、前記移動体が移動中でない場合と、で前記飛行禁止領域の位置、サイズ、及び形状の少なくとも１つを異ならせる、
ことを特徴とする請求項１に記載の無人航空機制御システム。
【請求項３】
前記領域設定手段は、前記移動体が移動中でない場合の前記飛行禁止領域が、前記移動体が移動中である場合の前記飛行禁止領域よりも広くなるように、前記飛行禁止領域を設定する、
ことを特徴とする請求項２に記載の無人航空機制御システム。
【請求項４】
前記移動体はゴルフ場において移動するプレイヤである、
ことを特徴とする請求項３に記載の無人航空機制御システム。
【請求項５】
前記領域設定手段は、前記移動体が移動中である場合の前記飛行禁止領域が、前記移動体が移動中でない場合の前記飛行禁止領域よりも広くなるように、前記飛行禁止領域を設定する、
ことを特徴とする請求項２に記載の無人航空機制御システム。
【請求項６】
前記無人航空機制御システムは、前記移動体が人であるか乗物であるかを示す移動体性質情報、又は、乗物である前記移動体の種類に関する移動体性質情報を取得する性質取得手段を更に含み、
前記領域設定手段は、前記移動体性質情報に更に基づいて、前記飛行禁止領域を設定する、
ことを特徴とする請求項１〜５の何れかに記載の無人航空機制御システム。
【請求項７】
前記無人航空機制御システムは、前記移動体位置情報に基づいて、未来の複数の時点における前記移動体の移動を時系列的に予測する移動予測手段を更に含み、
前記領域設定手段は、前記移動予測手段により予測された時点ごとに、前記移動予測手段の予測結果に更に基づいて、前記飛行禁止領域を設定し、
前記飛行制御手段は、前記複数の時点の各々における前記無人航空機が当該時点における前記飛行禁止領域を避けるように飛行ルートを取得して、前記無人航空機の飛行を制御する、
ことを特徴とする請求項１〜６の何れかに記載の無人航空機制御システム。
【請求項８】
前記無人航空機は、所定の目的地に向かう飛行ルートで飛行し、
前記飛行制御手段は、前記飛行ルートが前記飛行禁止領域に含まれる場合に、当該飛行禁止領域の手前で前記無人航空機を待機させることによって、前記飛行禁止領域を避けるように、前記無人航空機の飛行を制御する、
ことを特徴とする請求項１〜７の何れかに記載の無人航空機制御システム。
【請求項９】
前記移動体位置取得手段は、前記移動体とともに移動する移動体端末が受信した衛星からの信号に基づいて、前記移動体位置情報を取得する、
ことを特徴とする請求項１〜８の何れかに記載の無人航空機制御システム。
【請求項１０】
地球上を移動する移動体の現在の位置に関する移動体位置情報を取得する移動体位置取得ステップと、
前記移動体が移動中であるか否かを示す移動体状況情報を取得する状況取得ステップと、
前記移動体位置情報と、前記移動体状況情報と、に基づいて、無人航空機の飛行を禁止する飛行禁止領域を設定する領域設定ステップと、
前記飛行禁止領域を避けるように、前記無人航空機の飛行を制御する飛行制御ステップと、
を含むことを特徴とする無人航空機制御方法。
【請求項１１】
地球上を移動する移動体の現在の位置に関する移動体位置情報を取得する移動体位置取得手段、
前記移動体が移動中であるか否かを示す移動体状況情報を取得する状況取得手段、
前記移動体位置情報と、前記移動体状況情報と、に基づいて、無人航空機の飛行を禁止する飛行禁止領域を設定する領域設定手段、
前記飛行禁止領域を避けるように、前記無人航空機の飛行を制御する飛行制御手段、
としてコンピュータを機能させるためのプログラム。